(57)【要約】【課題】効率的に液体を拡散し、従来用いられている前述の不織布中間層を使用しない構成を有する吸収性物品のための表面シートを提供する。【解決手段】表面シートは、柔軟液体浸透性シート本体１を有し、シート本体１は、シート本体１に対して垂直方向Ｚにおいて相互に背中合わせの第一表面１１１及び第二表面１１２を備え、長手方向Ｙにおいて相互に背中合わせの前部端縁１１３及び後部端縁１１４を有する平面液体浸透性基礎壁１１を有する。また、シート本体１は、相互に離れて配置され、基礎壁１１の第一表面１１１から突起し、長手方向Ｙにも、長手方向Ｙに対して直角な幅方向Ｘにもに分布する複数の第一突起部１２をさらに有する。第一突起部１２は、それらの間に複数の開流路１４を形成するように配置される。帯状開流路１４は基礎壁１１の前部端縁１１３から後部端縁１１４へと伸び、垂直方向Ｚと幅方向Ｘに十分な毛管現象を与える寸法を有する。【選択図】図１
2009207897.tif 000002
【特許請求の範囲】
【請求項１】
柔軟液体浸透性シート本体（１）を有する、吸収性物品のための表面シートであって、
前記柔軟液体浸透性シート本体（１）は、前記柔軟性液体浸透シート本体（１）に対する垂直方向（Ｚ）において、相互に背中合わせの第一及び第二表面（１１１，１１２）を備える平面液体浸透性基礎壁（１１）を有し、
前記平面液体浸透性基礎壁（１１）は、長手方向（Ｙ）において相互に背中合わせな前部端縁及び後部端縁（１１３，１１４）を有し、
前記シート本体（１）は、さらに複数の帯状第一突起部（１２）を有し、
前記複数の帯状第一突起部（１２）は、相互に離れて配置され、前記平面液体浸透性基礎壁（１１）の前記第一表面（１１１）から突起し、長手方向（Ｙ）にも、長手方向（Ｙ）に対して直角な幅方向（Ｘ）にも分布し、
それぞれの前記第一突起部（１２）は、前記平面液体浸透性基礎壁（１１）の前部端縁及び後部端縁（１１３，１１４）にそれぞれ面する前部端及び後部端（１２１，１２２）を有し、前記後部端（１２２）から前記前部端（１２１）へと長手方向に伸び、
前記第一突起部（１２）は、前記第一突起部（１２）の間に複数の帯状開流路（１４）を形成するように配置され、前記帯状開流路（１４）は、前記平面液体浸透性基礎壁（１１）の前記前部端縁（１１３）から前記後部端縁（１１４）へと伸び、垂直方向（Ｚ）及び幅方向（Ｘ）において十分な毛管現象を与える寸法を有し、前記基礎壁（１１）の前記第一表面（１１１）上で液体を拡散させることを促進することを特徴とする表面シート。
【請求項２】
前記第一突起部（１２）は、中が空洞であることを特徴とする請求項１記載の表面シート。
【請求項３】
前記柔軟液体浸透性シート本体（１）は、更に、複数の帯状第二突起部（１３）を有し、
前記帯状第二突起部（１３）は、前記平面液体浸透性基礎壁（１１）の前記第二表面（１１２）から突起し、長手方向（Ｙ）にも幅方向（Ｘ）にも分布し、それぞれの前記帯状第二突起部（１３）は中が空洞で、前記平面液体浸透性基礎壁（１１）の前記第一表面（１１１）に開く帯状溝部（１３１）を輪郭作り、
前記帯状溝部（１３１）は、前記第一突起部（１２）と交互に配置される前記第二突起部（１３）により輪郭作られることを特徴とする請求項１記載の表面シート。
【請求項４】
前記帯状溝部（１３１）は、幅方向（Ｘ）において、少なくとも一つの前記第一突起部（１２）と部分的に整列されることを特徴とする請求項３記載の表面シート。
【請求項５】
前記第一突起部（１２）は、長手方向（Ｙ）に伸び、前記帯状開流路（１４）は長手方向（Ｙ）に伸びることを特徴とする請求項１記載の表面シート。
【請求項６】
前記第一突起部（１２）は、長手方向（Ｙ）に対してわずかに傾斜した方向に伸びることを特徴とする請求項１記載の表面シート。
【請求項７】
前記第一突起部（１２）は、形状が曲線状であることを特徴とする請求項１記載の表面シート。
【請求項８】
前記柔軟液体浸透性シート本体（１）は、不織布からなることを特徴とする請求項１記載の表面シート。
【請求項９】
前記柔軟液体浸透性シート本体（１）は、開孔プラスチックフィルムからなることを特徴とする請求項１記載の表面シート。
【請求項１０】
前記柔軟液体浸透性シート本体（１）は、不織布層（１０１）と、前記不織布層（１０１）に接着された開孔プラスチックフィルム層（１０２）を有する二層構造の複合材料からなることを特徴とする請求項１記載の表面シート。
【発明の詳細な説明】
【技術分野】
【０００１】
本発明は、吸収性物品のための表面シート、特に、基礎壁、及び、所望の方向に液体を拡散する複数の流路を形成するため、基礎壁から突起した複数の帯状突起部を有する表面シートに関するものである。
【背景技術】
【０００２】
特許文献１では、液体浸透性表面シート（ｌｉｑｕｉｄ  ｐｅｒｖｉｏｕｓ  ｔｏｐｓｈｅｅｔ）と、液体不浸透性裏面シート（ｌｉｑｕｉｄ  ｉｍｐｅｒｖｉｏｕｓ  ｂａｃｋｓｈｅｅｔ）と、表面シート及び裏面シート間に配置される吸収性コアと、及び、表面シート及び吸収性コア間に配置される不織布中間層（ｎｏｎ−ｗｏｖｅｎ  ｉｎｎｅｒ  ｌａｙｅｒ）とを有する吸収性物品（ａｂｓｏｒｂｅｎｔ  ａｒｔｉｃｌｅ）を開示している。表面シートは、不織布の外層（ｏｕｔｅｒ  ｌａｙｅｒ）と、不織布中間層と接触している開孔プラスチックフィルム層（ｐｅｒｆｏｒａｔｅｄ  ｐｌａｓｔｉｃ  ｆｉｌｍ  ｌａｙｅｒ）を有する。外層はエンボス加工されてもよく、主に柔軟性を与え、使用者にべたついた、又は汗ばんだ感覚を感じさせないように水分を吸収する。
【０００３】
外層は、開孔プラスチックフィルム層上に直接付着（ｄｅｐｏｓｉｔｅｄ）した液体の通過のため、液体は開孔プラスチックフィルム層及び不織布中間層を通って吸収性コアにすばやく吸収されるように、吸収性物品の前面端から後部端に伸びる開口部（ｏｐｅｎｉｎｇ）で形成される。
【先行技術文献】
【特許文献】
【０００４】
【特許文献１】米国特許第６，４６１，３３９号公報
【発明の概要】
【発明が解決しようとする課題】
【０００５】
開孔プラスチックフィルム層内に形成される開口部、外層内に形成される孔、不織布中間層内に形成される孔により、外層上に付着された液体は吸収性物品に対して垂直方向では開口部及び孔から吸収性コアへと効率的に通過することができるが、吸収性物品の長手方向においては効率的に流れない。結果として、吸収性物品の限られた領域、すなわち液体が付着した湿った領域、上にのみ、外層から吸収性コアへの液体の流れが発生する。
【０００６】
また、不織布中間層を形成するために使用する繊維を絡ませる前に、特定の方向に向けることにより、長手方向の液体の拡散を可能とし、外層、開孔プラスチックフィルム層及び不織布中間層を通って吸水性コアへと液体が流れる湿った領域を増加させるという方法が提案されている。しかしながら、形成される不織布中間層は費用が高い。
従って、費用効率が高く、長手方向において効率的に液体を拡散することが可能な表面シートが必要となる。
【０００７】
本発明は、前述した問題点に鑑みてなされたもので、その目的とすることは、効率的に液体を拡散し、従来用いられている前述の不織布中間層を使用しない構成を有する吸収性物品のための表面シートを提供することである。
【課題を解決するための手段】
【０００８】
本発明によれば、柔軟液体浸透性シート本体を有する、吸収性物品のための表面シートであって、前記柔軟液体浸透性シート本体は、前記柔軟性液体浸透シート本体に対する垂直方向において、相互に向かい合う第一及び第二表面を備える平面液体浸透性基礎壁を有する。前記平面液体浸透性基礎壁は、長手方向において相互に背中合わせな前部端縁及び後部端縁を有する。前記シート本体は、さらに複数の帯状第一突起部を有し、前記複数の帯状第一突起部は、相互に離れて配置され、前記平面液体浸透性基礎壁の前記第一表面から突起し、長手方向にも、長手方向に対して直角な幅方向にも分布しする。それぞれの前記第一突起部は、前記平面液体浸透性基礎壁の前部端縁及び後部端縁にそれぞれ面する前部端及び後部端を有し、前記後部端から前記前部端へと長手方向に伸びる。前記第一突起部は、前記第一突起部の間に複数の帯状開流路を形成するように配置され、前記帯状開流路は、前記平面液体浸透性基礎壁の前記前部端縁から前記後部端縁へと伸び、垂直方向及び幅方向において十分な毛管現象を与える寸法を有し、前記基礎壁の前記第一表面上で液体を拡散させることを促進する。
【発明の効果】
【０００９】
本発明により、効率的に液体を拡散し、従来用いられている前述の不織布中間層を使用しない構成を有する吸収性物品のための表面シートを提供することができる。
【図面の簡単な説明】
【００１０】
【図１】本発明に係る表面シートの第１の実施形態の部分斜視図
【図２】第１の実施形態の部分断面図
【図３】本発明に係る表面シートの第２の実施形態の部分斜視図
【図４】第２の実施形態の部分断面図
【図５】本発明に係る表面シートの第３の実施形態の部分斜視図
【図６】第３の実施形態の部分断面図
【図７】本発明に係る表面シートの第４の実施形態の部分斜視図
【図８】第４の実施形態の部分断面図
【図９】本発明に係る表面シートの第５の実施形態の部分断面図
【発明を実施するための形態】
【００１１】
以下図面に基づいて、本発明に係る吸収性物品のための表面シートの実施形態を詳細に説明する。尚、以下の説明および図面において、略同一の機能構成を有する構成要素については、同一の符号を付することにより重複説明を省略することにする。
【００１２】
最初に、図１、２を参照しながら、本発明に係る生理用ナプキン、尿漏れ防止パッド、おむつ等のような吸収性物品のための表面シートの第１の実施形態について説明する。
図１は、本発明に係る表面シートの第１の実施形態の部分斜視図、図２は、第１の実施形態の部分断面図である。
【００１３】
表面シートは、柔軟シート本体（ｆｌｅｘｉｂｌｅ  ｓｈｅｅｔ  ｂｏｄｙ）１を有する。柔軟シート本体１は、第一表面１１１（ｆｉｒｓｔ  ｓｕｒｆａｃｅ）、第二表面（ｓｅｃｏｎｄ  ｓｕｒｆａｃｅ）１１１，１１２を備えた平面液体浸透性基礎壁（ｆｌａｔ  ｌｉｑｕｉｄ  ｐｅｒｖｉｏｕｓ  ｂａｓｅ  ｗａｌｌ）１１を有する。第一、第二表面１１１，１１２は、柔軟シート本体１の垂直方向（Ｚ）において相互に背中合わせである。基礎壁１１は、垂直方向（Ｚ）に実質的に垂直な長手方向（Ｙ）において相互に背中合わせの前部端縁（ｆｒｏｎｔ  ｅｄｇｅ）１１３、後部端縁（ｒｅａｒ  ｅｄｇｅ）１１４を有する。
【００１４】
柔軟シート本体１は、更に、相互に相隔てて配置される複数の帯状の第一突起部（ｓｔｒｉｐ−ｌｉｋｅ  ｆｉｒｓｔ  ｐｒｏｔｒｕｓｉｏｎ）１２を有する。第一突起部１２は、基礎壁１１の第一表面１１１から垂直方向（Ｚ）に突起しており、長手方向（Ｙ）にも、長手方向（Ｙ）を横断する幅方向（Ｘ）にも分布している。
【００１５】
第１の実施形態において、柔軟シート本体１は、垂直方向（Ｚ）に液体（図示しない）が通過するための複数の通気孔（ｏｐｅｎ  ｐｏｒｅ）が形成される不織布（ｎｏｎ−ｗｏｖｅｎ  ｆａｂｒｉｃ）からなる。不織布の形成は、特定の方向に繊維を向かせることのない単純な機械的技術を用いて繊維を絡み合わせるような従来の方法で行われる。
【００１６】
各第一突起部１２は、基礎壁１１の前部端縁１１３及び後部端縁１１４にそれぞれ向く前部端１２１及び後部端１２２を有し、後部端１２２から前部端１２１へと長手方向に伸びている。第一突起部１２は、それらの間に複数の帯状開流路（ｓｔｒｉｐ−ｌｉｋｅ  ｏｐｅｎ  ｆｌｕｉｄ  ｃｈａｎｎｅｌ）１４を形成するように配置される。帯状開流路１４は、基礎壁１１の前部端縁１１３から後部端縁１１４へと伸びており、垂直方向（Ｚ）及び幅方向（Ｘ）において十分な毛管現象（ｃａｐｉｌｌａｒｙ  ａｃｔｉｏｎ）を与える寸法を持ち、長手方向（Ｙ）において基礎壁１１の第一表面１１１上で液体（図示しない）の拡散を促進する。
【００１７】
第１の実施形態において、各第一突起部１２は中が空洞で、平面液体浸透性基礎壁１１の第二表面１１２に開く凹部を輪郭作る。
【００１８】
柔軟シート本体１は、更に、複数の帯状の第二突起部１３を有する。複数の第二突起部１３は基礎壁１１の第二表面１１２より突起し、長手方向（Ｙ）にも幅方向（Ｘ）にも分布する。各第二突起部１３は、中が空洞で、帯状溝部１３１を輪郭作る。帯状溝部１３１は基礎壁１１の第一表面１１１に開き、長手方向（Ｙ）に伸びている。第二突起部１３により定義される溝部１３１は、第一突起部１２と交互に配置される。各溝部１３１は、幅方向（Ｘ）において少なくとも一つの第一突起部１２と部分的に整列される。即ち、各溝部１３１は断面１３１を有し、断面１３１は少なくとも一つの第一突起部１２の部分１２５と幅方向（Ｘ）において整列される。溝部１３１は、垂直方向（Ｚ）及び幅方向（Ｘ）において十分な毛管現象を与える寸法を持ち、長手方向（Ｙ）において液体の拡散を強化する。
【００１９】
第１の実施形態において、各第一突起部１２は、長手方向（Ｙ）に伸びており、各帯状開流路１４も長手方向（Ｙ）に伸びている。加えて、各帯状開流路１４は近接する一つの帯状開流路１４と流体連結（ｆｌｕｉｄ  ｃｏｍｍｕｎｉｃａｔｉｏｎ）しており、幅方向（Ｘ）においても液体の拡散を促進する。
【００２０】
図３、４は、本発明に係る吸収性物品のための表面シートの第２の実施形態について説明する。
図３は、本発明に係る表面シートの第２の実施形態の部分斜視図、図４は、第２の実施形態の部分断面図である。
第２の実施形態は、第１の実施形態とは異なり、各第一突起部１２が長手方向（Ｙ）に対してわずかに傾いた方向（Ｗ）に伸びている。ある実施形態においては、各第二突起部１３も、その方向（Ｗ）に伸びるようにする。
【００２１】
図５、６は、本発明に係る吸収性物品のための表面シートの第３の実施形態について説明する。
図５は、本発明に係る表面シートの第３の実施形態の部分斜視図、図６は、第３の実施形態の部分断面図である。
第３の実施形態は、第１の実施形態とは異なり、各第一突起部１２は形状が曲線状である。即ち、第３の実施形態において、各第一突起部１２はわずかに曲がりくねって縦に伸びている。ある実施形態においては各第二突起部１３も、形状が曲線状である。
【００２２】
図７，８は、本発明に係る吸収性物品のための表面シートの第４の実施形態について説明する。
図７は、本発明に係る表面シートの第４の実施形態の部分斜視図、図８は、第４の実施形態の部分断面図である。
第４の実施形態は、第１の実施形態とは異なり、柔軟シート本体１は垂直方向（Ｚ）に液体が通過するための開口部で形成される開孔プラスチックフィルムからなる。他の好適な実施形態として、開口部は、柔軟シート本体１の平面液体浸透性基礎壁１１にのみ形成し、第一突起部１２及び第二突起部１３には開口部を形成せず、第一突起部１２及び第二突起部１３は液体不浸透となるようにしてもよい。
【００２３】
図９は、本発明に係る吸収性物品のための表面シートの第５の実施形態について説明する。
図９は、本発明に係る表面シートの第５の実施形態の部分断面図である。
第５の実施形態は、第１の実施形態とは異なり、柔軟シート本体１は不織布層１０１と、不織布層１０１に接着された開孔プラスチックフィルム層１０２を有する二層構造の複合材料からなる。
【００２４】
本発明の表面シートの柔軟シート本体１に、第一突起部１２及び帯状溝部１３１を有することで、基礎壁１１の第一表面１１１上の液体は長手方向（Ｙ）に急速に拡散し、その結果、基礎壁１１のほかにも溝部１３１を輪郭作る壁もまたの両方を液体を投下し、湿った領域の大幅な増加が起きる。結局、本発明のこのような構成が、吸収性物品への流体輸送（ｔｒａｎｓｐｏｒｔ  ｏｆ  ｌｉｑｕｉｄ）を促進する。
【００２５】
以上、添付図面を参照しながら、本発明に係る吸収性物品のための表面シート等の好適な実施形態について説明したが、本発明は係る例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００２６】
１………柔軟シート本体
１１………平面液体浸透性基礎壁
１２………第一突起部
１３………第二突起部
１４………帯状開流路
１１１………第一表面
１１２………第二表面
１１３………前部端縁
１１４………後部端縁
１２１………前部端
１２２………後部端
１３１………帯状溝部
【図１】
2009207897.tif 000003
【図２】
2009207897.tif 000004
【図３】
2009207897.tif 000005
【図４】
2009207897.tif 000006
【図５】
2009207897.tif 000007
【図６】
2009207897.tif 000008
【図７】
2009207897.tif 000009
【図８】
2009207897.tif 000010
【図９】
2009207897.tif 000011
【外国語明細書】
2009207897000001.pdf